(57)【要約】      （修正有）【課題】本発明はペットボトルでも短い缶容器でも使用できるように、長さの調節が可能な保冷用袋であって、車椅子等のフレーム等に取り外し自在に着設して使用することができるドリンクホルダーを提供する。【解決手段】 ドリンクホルダーの首部分を折り返し、脚部分を折り畳むことによって、ペットボトルから短いペットボトルや缶も収容することができるドリンクホルダーを作製した。【選択図】図１
2007076679.tif 000002
【特許請求の範囲】
【請求項１】
ラミ入り布地よりなる胴部分よりも広い開口部を有する首部分と、ラミ入り布地とウレタンとアルミシートで保温された胴部分と、ラミ入り布地とアルミシートで保温された脚部分とよりなるペットボトルを収納して保冷する袋状の保冷具であって、脚部分を折り畳むことによって短いペットボトルを収納保冷することが可能となり、首部分と脚部分を折り畳むことによってドリンク用の缶を収納保冷することができる長さの調整が可能であることを特徴とするドリンクホルダー。
【請求項２】
ドリンクホルダーを短くする場合に折り畳んだ脚部分を固定するために、ドリンクホルダーの外側面の長手方向に面ファスナーを着設したことを特徴とする請求項１に記載のドリンクホルダー。
【請求項３】
ドリンクホルダーの外側面の短手方向に着設した面ファスナーのベルトによって車椅子等のフレームに着設が可能であることを特徴とする請求項１又は請求項２のいずれかに記載のドリンクホルダー。
【請求項４】
ドリンクホルダーの外側面の長手方向に２箇所のベルト通しを着設したことによってベルトや紐を通して車椅子等のフレームに着設が可能であることを特徴とする請求項１又は請求項２のいずれかに記載のドリンクホルダー。
【請求項５】
ドリンクホルダーの外側面にペンホルダーを着設したことを特徴とする請求項１から請求項４のいずれかに記載のドリンクホルダー。
【発明の詳細な説明】
【技術分野】
【０００１】
本発明は車椅子等のフレームに着設して携帯使用できるペットボトルの保冷袋に関し、より詳細には、そのまま用いるとペットボトルの保冷袋として、脚部分をたくし上げて短くすると短いペットボトルを、さらに首部分を折り畳むことによってドリンク缶等の短い容器の保冷袋として使用することができる長さの調整が可能なドリンクホルダーに関わる。
【背景技術】
【０００２】
暑さの厳しい折には喉を潤すために、また熱中症の予防のためにも飲料水は手放せないものである。そのためにペットボトル用保冷袋等について、種々の考案がされている。車椅子の座乗者にも例外なく必要なものであるが、車椅子等に専用のドリンクホルダーはなく、通常は保冷袋に紐を付けて車椅子等のハンドル等に適当に引っ掛けているのが現状であり、車椅子等と共に揺れて扱いにくく、取り扱い難い欠点があった。
【０００３】
ペットボトル等の保冷袋については、特許文献１の請求項１に「上部の一対辺に、互いに向き合わせて内側に折り曲げられる折曲部及び該折曲部の上に折り曲げてペットボトルの口部を挿通させる穴を有した折曲部を設け、下部に一対辺の連結部により対の胴体部材と一体の底部材を具え、胴体部材を円筒状に、底部材を円形にそれぞれ結合することで、保冷袋を構成してなるペットボトル用保冷袋の構造。」が開示されている。
【０００４】
特許文献２の請求項１には「缶やペットボトルなどの飲料容器を挿入して保持可能な容器収納空間を有して、外観をキャラクターのコスチュームを模したデザインにしたホルダー本体を具えたことを特徴とするドリンクホルダー」が開示されている。
【０００５】
特許文献３の請求項１には「熱可塑性合成樹脂製不織布を基材とし、開口部の対向両面に取っ手片および、他一面に、上記、開口部の折り返し蓋を延設した本体外袋であって、当該本体外袋の袋内部に、被保冷物を、内面が熱可塑性合成樹脂製フィルム、外面がアルミニウム蒸着フィルムをラミネートした複層からなる蓄冷剤内袋中に収容し、当該蓄冷剤内袋を、上記、本体外袋の袋内部内に収納した携帯型保冷袋。」が開示されている。
【０００６】
上記のように、様々な形態のペットボトルの保冷袋が考案されているが、未だ車椅子等に装着可能で、長さの異なる容器にも対応して使用できる保冷袋はなく、その出現が望まれている。
【特許文献１】登録実用新案第３０２９８７９号公報
【特許文献２】登録実用新案第３０８５１８９号公報
【特許文献３】特開２００３−５４６４３号公報
【発明の開示】
【発明が解決しようとする課題】
【０００７】
本発明はペットボトルでも短い缶容器でも使用できるように、長さの調節が可能な保冷用袋であって、車椅子等のフレーム等に取り外し自在に着設して使用することができるドリンクホルダーを提供するものである。
【課題を解決するための手段】
【０００８】
上記課題を解決するために鋭意研究を重ねた結果、ドリンクホルダーの首部分を折り返し、脚部分を折り畳むことによって、短いペットボトルや缶にも対応できるドリンクホルダーの作製に成功した。
【０００９】
請求項１に記載の発明は、ラミ入り布地よりなる胴部分よりも広い開口部を有する首部分と、ラミ入り布地とウレタンとアルミシートで保温された胴部分と、ラミ入り布地とアルミシートで保温された脚部分とよりなるペットボトルを収納して保冷する袋状の保冷具であって、脚部分を折り畳むことによって短いペットボトルを収納保冷することが可能となり、首部分と脚部分を折り畳むことによってドリンク用の缶を収納保冷することができる長さの調整が可能であることを特徴とするドリンクホルダーである。ラミ入り布地を外側に、内側にウレタンとアルミシートを用いて断熱効果を高め、首部分を折り畳みやすくするために胴部分よりやや太くして、脚部分はウレタンを入れないで裾揚げのし易い構造とし、首部分を外側に折り曲げて脚部分を折り畳むことによって、長さを調整してドリンク用の缶を入れやすく出し易い保冷袋を提供するものである。
【００１０】
請求項２に記載の発明は、ドリンクホルダーを短くする場合に折り畳んだ脚部分を固定するために、ドリンクホルダーの外側面の長手方向に面ファスナーを着設したことを特徴とする請求項１に記載のドリンクホルダーである。ドリンクホルダーの外側面の長手方向に雄、又は雌の面ファスナーを縫いつけてドリンクホルダーを短くしたいときは脚部分をたくしあげて雄、又は雌の面ファスナーで固定すればドリンクホルダーを短い状態で綺麗で、気持ちよく使用することができる。
【００１１】
請求項３に記載の発明は、ドリンクホルダーの外側面の短手方向に着設した面ファスナーのベルトによって車椅子等のフレームに着設が可能であることを特徴とする請求項１又は請求項２のいずれかに記載のドリンクホルダーである。ドリンクホルダーの外側面の短手方向に雄、雌の面ファスナーのバンドを取り付けておくと、車椅子等のフレームに雄、雌の面ファスナーを巻き付けて簡単に着設することができる。
【００１２】
請求項４に記載の発明は、ドリンクホルダーの外側面の長手方向に２箇所のベルト通しを着設したことによってベルトや紐を通して車椅子等のフレームに着設が可能であることを特徴とする請求項１又は請求項２のいずれかに記載のドリンクホルダーである。ドリンクホルダーの外側面にベルト通しを着設することによって、面ファスナーのみならず、通常の紐を通して車椅子等のフレームにドリンクホルダーを着設することができる。
【００１３】
請求項５に記載の発明は、ドリンクホルダーの外側面にペンホルダーを着設したことを特徴とする請求項１から請求項４のいずれかに記載のドリンクホルダーである。これはドリンクホルダーの外側面にペンホルダーを少なくとも１個を着設したドリンクホルダーである。ドリンクホルダーにペンホルダーを付けることによって、ペンやキーホルダーが目に付く位置に保持することができる上に、必要なときは簡単に取り出すことができる。
【発明の効果】
【００１４】
ラミ入り布地を外側に、内側にウレタンとアルミシートを用いて断熱効果を高め、首部分を折り畳みやすくするために胴部分よりやや太くして、脚部分はウレタンを入れずに裾をあげる場合に、折り畳みやすくできる構造とし、首部分を外側に折り曲げ、脚部分を折り畳むことによってドリンク用の缶等も入れて保冷することができる。
【００１５】
ドリンクホルダーの長手方向に雄、又は雌の面ファスナーを縫いつけてドリンクホルダーを短くしたいときは脚部分を折り畳んで雄、又は雌の面ファスナーで固定すれば綺麗で、気持ちよく短いペットボトルを入れて使用することができる。また、ドリンクホルダーを長い状態で使用するときは、面ファスナーの開放部分をドリンクホルダーの底に貼着してドリンクホルダーを安定に保持すると共に強固にすることができる。
【００１６】
また、ドリンクホルダーの外側面の短手方向に雄、又は雌の面ファスナーのバンドを取り付けておくと、車椅子等のフレームに簡単に着設することができる。あるいはドリンクホルダーの外側面に直接面ファスナーを付けずに、ベルト通しを着設しておくと面ファスナーが使用できない場合でも、ベルト通しに紐を通してフレーム等に固定することができる。
【００１７】
車椅子等のフレームに取り付けたドリンクホルダーの外側面にペンを挿着することができるペンホルダーを付けることによって、ペンが必要なときは簡単に取り出すことができる。また、一方にはペンを挿入して、他方にはキーホルダー等を着設することができる。
【発明を実施するための最良の形態】
【００１８】
本発明のドリンクホルダーを着設する乗り物とフレームは車椅子とそのフレームに限定されるものではなく、自走用の車椅子から介助者の付く車椅子、競技用の車椅子等の他、歩行器や乳母車、自転車等、本発明のドリンクホルダーが着設できる箇所があればどのようなもの、どのような箇所に着設して使用してもよい。
【００１９】
本発明の実施の態様を以下に図面を用いて説明するが、本発明は以下の実施例に限定されるものではない。以下に示すドリンクホルダーの各部の寸法は各部の大きさを例示するものであり、本発明のドリンクホルダーは下記の数値に限定されるものではない。
【００２０】
図１は、本発明のドリンクホルダー１００を示す。本発明のドリンクホルダー１００は上部に開口部１１を有し、ここからペットボトルの出し入れを行う。首部分１２は、缶等の短い容器に使用するためにドリンクホルダーを短くするときは、この首部分１２を外側に折り込むために、胴部分１３よりも若干太くなっている。首部分１２にはペットボトルを入れて締め付けるための紐１６が着設されている。首部１２の内径は８０〜９０ｍｍとし、高さは３０ｍｍとした。胴部分１３の中程にペンホルダー１７を着設した。胴部分１３の下に雌の面ファスナー１９を着設し、脚部分１５を折り畳んで短くしたときに雄の面ファスナー１８を噛合して止めるようになっている。胴部分１３の内径は７０ｍｍとし、高さは９０ｍｍとした。脚部分１５の内径は同部と同様７０ｍｍとし、高さは７０ｍｍとした。ドリンクホルダー１００の大きさは上記の寸法に限定されるものではない。例えば、伸縮性のある布を用いたり、ドリンクホルダーの側面をゴムで絞ったり、紐で締め付けて太さを調節したりすることもできる。
【００２１】
図２は本発明のドリンクホルダー１００の断面図を示す。図（２−１）は胴部分１３の断面図で、布地２１（ナイロン、商標）にスポンジ２２が貼られたラミ入り布地（ナイロン，商標）を使用した。さらに、ドリンクホルダー１００の内面はラミ入り布地とアルミ２３の間にウレタン２５を貼設して断熱性を高くした。図（２−１）に示す断面図でアルミ２４を記載しているが、必要に応じてウレタン２５の両側にアルミ２３、２４を貼着してもよい。図（２−２）に示す脚部分１５の外側面は胴部分と同様に布地２１にスポンジ２２が貼られたラミ入り布地（ナイロン、商標）を使用した。脚部分１５の内側面は折り畳む必要性からウレタン２５の断熱層をなくし、アルミ２３のみ内張した。ドリンクホルダー１００を作製するための生地は上記ナイロンの他に、ポリエステル等が例示できるが、保温性がよく、濡れにくい生地であれば、特にこれらの生地に限定されるものではない。
【００２２】
図３はドリンクホルダー１００の側面図である。胴部分１３の二本のホルダー支持用の雄の面ファスナー１４、１４は車椅子等のフレームに着設するためのベルトである。このベルト（ホルダー支持用の面ファスナー１４、１４）の真ん中約２０ｍｍを生地に縫いつけて、両端約４０ｍｍをフリーにして、フレームに巻き付けられるようにした。脚部分１５の下に出ている面ファスナー１８は脚部分を折り畳んだときに、折り畳んだ脚部分１５を反対側の面ファスナー１９に係合させて固定するためのベルトである。
【００２３】
図４は図３のドリンクホルダー１００の右側からの側面図である。胴部分１３の二本の雄のホルダー支持用の面ファスナー１４、１４は車椅子等のフレーム等に着設するためのベルトで、ベルトの真ん中約２０ｍｍを生地に縫いつけて、両端約４０ｍｍをフリーにして、フレームに巻き付けられるようにしている。ペンホルダー１７が側面に着設されている。脚部分１５の下に出ている短縮固定用の面ファスナー１８は脚部分１５を折り畳んだときに、折り畳んだ脚部分１５を面ファスナー１９で係合させて固定するためのドリンクホルダーの短縮固定用の面ファスナー１８である。
【００２４】
図５はドリンクホルダー１００の背面を示す側面図である。胴部分１３の二本の雄のドリンクホルダー支持用の面ファスナー１４、１４は車椅子等のフレーム等に装着できるように着設したドリンクホルダー支持用の面ファスナーである。ドリンクホルダー支持用の面ファスナーの真ん中約２０ｍｍを胴部分１３の生地に縫いつけて、両端約４０ｍｍをフリーにして、フレームに巻き付けられるようにした。脚部分１５の下に出ている短縮固定用の面ファスナー１８は脚部分を折り畳んだときに、脚部分１５を固定するための面ファスナーである。ドリンクホルダーを支持用の面ファスナー１４の幅、長さは上記幅、長さに限定されるものではないが、太く長いもの程強固に挟持することができるが、脱着が困難になるので、対象とするフレームに合わせた太さと長さがよい。また、フレームに巻き付けるためのホルダー支持用の面ファスナー１４、１４は、ボトルに飲料水が入った状態で、フレームに巻き付けた場合、自重でボトルホルダーが滑ってしまうので、ホルダー支持用の面ファスナー１４、１４の裏面（フレームに接触する面）に薄いゴムシート等の滑り止めを貼着するか、滑りにくい素材等を縫着することが望ましい。
【００２５】
図６は、開口部１１のある首部分１２の折り畳む方向を矢印で示している。缶等の短い容器を入れるときは、開口部のある首部分１２を矢印方向に折り畳むと共に脚部分１５も折り畳んで短縮固定用の面ファスナー１８の解放端１８ａを他方側の面ファスナー１９に貼着して、ドリンク用の缶等の高さに合わせた状態で使用する。首部分１２を折り畳んでいるので缶等の出し入れに首部分が邪魔にならない。
【００２６】
図７は本発明のドリンクホルダー１００の首部１２と脚部分１５を折り畳んだ状態を示す側面図である。底部分２０は７０ｍｍの大きさで、ラミの入った布地（ナイロン，商標）とアルミを上下に挟んだウレタンで断熱されている。底部分２０の外側面には中央一文字に面ファスナーが貼着されており、ドリンクホルダー１００を長い状態で使用するとき、面ファスナー１８の解放端１８ａが安定に貼着されている。
【００２７】
図８は本発明のドリンクホルダー１００の首部分１２と脚部分１５を折り畳んだ状態を他の側面から示す斜視図である。ペンフォルダー１７はフレームに着設するドリンクホルダー支持用の面ファスナー１４の反対側、あるいはドリンクホルダーの側面になるように着設して、ドリンクホルダー１００を車椅子等のフレームに装着したとき、ペン等が取りやすい位置に来るようにする。
【００２８】
図９はドリンクホルダー１００の側面に車椅子等のフレームに着設するための面ファスナーを貼着する代わりに、ベルト通し２６を装着した例を示す。車椅子等のフレームに既に面ファスナーが着設されている場合に、面ファスナー同士で貼着できないことがある。このような場合に、車椅子等に紐などで拘束できるように、ベルト通し２６を装着したドリンクホルダー１００を使用することができる。
【００２９】
図１０はドリンクホルダー１００の外側面にベルト通し２６を着設して、これにベルト２７を通した例を示す側面図である。ベルト通し２６を装着したドリンクホルダー１００は着設するフレームに合わせてベルト通し２６にベルト２７として面ファスナー、又は通常の紐を通してフレームに結びつけることができる。
【００３０】
図１１は別態様のドリンクホルダー１００の斜視図である。脚部分１５を短くするために面ファスナー１８の代わりに紐１６を着設した例を示している。この両側に設けた紐１６を絞ることによって、脚部分１５を畳み上げてドリンクホルダー１００を短くして使用することができる。ゴミなどが付着しやすい面ファスナーに比して汚れにくく、紐１６に飾りなどを施して美しくすることもできる。
【００３１】
図１２は実際に車椅子２８のフレーム２９にドリンクホルダー１００を着設した例を示す部分斜視図である。本発明のドリンクホルダー１００を着設するのは、ここに示す車椅子に限らず乳母車や歩行器等であってもよく、フレームに巻き付けてドリンクホルダーを固定できるところであれば何れの場所でも使用することができる。
【図面の簡単な説明】
【００３２】
【図１】図１はドリンクホルダーの斜視図である。
【図２】図２はドリンクホルダーの断面図である。
【図３】図３はドリンクホルダーの側面図である。
【図４】図４はドリンクホルダーの側面図である。
【図５】図５はドリンクホルダーの背面図である。
【図６】図６はドリンクホルダーの斜視図である。
【図７】図７はドリンクホルダーを缶用に短くした側面図である。
【図８】図８はドリンクホルダーを缶用に短くした斜視図である。
【図９】図９はベルト通しを着設したドリンクホルダーの側面図である。
【図１０】図１０はベルト通しにベルトを通したドリンクホルダーの側面図である。
【図１１】図９は別態様のドリンクホルダーの斜視図である。
【図１２】図１２はドリンクホルダーをフレームに着設した部分を示す斜視図である。
【符号の説明】
【００３３】
１００：ドリンクホルダー
１１：開口部
１２：首部分
１３：胴部分
１４：ホルダー支持用の面ファスナー
１５：脚部分
１６：紐
１７：ペンホルダー
１８：短縮固定用の面ファスナー
１９：面ファスナー
２０：底部
２１：布
２２：スポンジ
２３：アルミ
２４：アルミ
２５：ウレタン
２６：ベルト通し
２７：ベルト
２８：車椅子
２９：フレーム
【図１】
2007076679.tif 000003
【図２】
2007076679.tif 000004
【図３】
2007076679.tif 000005
【図４】
2007076679.tif 000006
【図５】
2007076679.tif 000007
【図６】
2007076679.tif 000008
【図７】
2007076679.tif 000009
【図８】
2007076679.tif 000010
【図９】
2007076679.tif 000011
【図１０】
2007076679.tif 000012
【図１１】
2007076679.tif 000013
【図１２】
2007076679.tif 000014